(57)【要約】      （修正有）【課題】電子製品を携帯しかつ必要な接続線設備が配置される電子製品ケース型鞄を提供する。【解決手段】ケース型鞄本体１の左右両側に懸ける肩ベルト２、ケース型鞄本体の後面１２の内側に電子製品を固定するバンド３が設けられる。ケース型鞄本体の前面１１と左右両面１３、１４との間はファスナ４により接続される。ケース型鞄本体の頂面１６は、前面に延び出し一体に折られて係合カバー１６１になる。ケース型鞄本体の前面と頂面との結合部位の両側と左右側面の縁部の対応部位との間に、引きバンド５が夫々に設けられる。ケース型鞄本体の前面の内側に入れ物用の袋１８１、１８３が設けられる。ケース型鞄本体の任意の適切な箇所にインターフェイス接続端１９が設けられ、その対応面の底端縁部に、対応面に延び出し一体に折られ且つ対応面に貼合され、その縁部に相隣る面の底端に係止できる係止カバーが延設される。【選択図】図２
0003109806.tif 000002
【実用新案登録請求の範囲】
【請求項１】
ケース型鞄本体及び前記ケース型鞄本体に接続される持ち上げ装置を含み、前記ケース型鞄本体は電子製品を収納するための空間を有し、前記ケース型鞄本体の任意の適切な箇所にインターフェイス接続端子を設置することを特徴とするケース型鞄。
【請求項２】
前記ケース型鞄本体は、前面、後面、左面、右面、底面及び頂面の各面により鉛直に組立てられて作製されることを特徴とする請求項１記載のケース型鞄。
【請求項３】
前記ケース型鞄本体の頂面は、前面から延び出して一体に折られる係合カバーであることを特徴とする請求項２記載のケース型鞄。
【請求項４】
前記ケース型鞄本体の前面の内側に物入れ用の袋が設けられることを特徴とする請求項２記載のケース型鞄。
【請求項５】
前記袋は、前面の内側に幾つかの開口が交互に配列され物で且つ入れ物用の畳状袋体であることを特徴とする請求項４記載のケース型鞄。
【請求項６】
前記ケース型鞄本体の前面と左右両面との間はファスナにより接続されることを特徴とする請求項２記載のケース型鞄。
【請求項７】
前記ケース型鞄本体の内側に電子製品を固定するバンドが設けられることを特徴とする請求項１記載のケース型鞄。
【請求項８】
前記ケース型鞄本体のインターフェイス接続端の対応面の底端縁部には、対応面に延び出し一体に折られ且つ対応面に貼合され、その縁部に相隣る面の底端に係止する係止カバーが設けられることを特徴とする請求項１記載のケース型鞄。
【請求項９】
前記ケース型鞄本体が収納する電子製品の空間に、仕掛板が、前記空間を二つの空間に分けてそれぞれに異なる物を収納できるように設けられ、前記仕掛板の正表面に電子製品を固定するバンドが設けられることを特徴とする請求項１記載のケース型鞄。
【請求項１０】
前記ケース型鞄本体のインターフェイス接続端は、電源コンセント、ゲーム用のジョイスティック接続線、予備用畳状リード線、ＵＳＢインターフェイス又はＵＳＢＨＵＢインターフェイスを収納することを特徴とする請求項１記載のケース型鞄。
【考案の詳細な説明】
【技術分野】
【０００１】
本考案は、携帯用の電子製品及び必要な接続線設備を配置される電子製品ケース型鞄に関するものである。
【背景技術】
【０００２】
現在、従来の電子製品鞄は、普通の鞄内にソフト袋を加えるか、或は安全ベルトで密閉の電子製品をしかっりと係止する構造になっている。このような構造では、電子製品を使用する際に、鞄の中から電子製品を取り出し、これをテーブルの上に置いて使用する必要があるが、オフィスで使用できる。しかし、勤務で外出して、車の中や人込みの公共場所などで使用する場合は、とても不便である。また、外に置かれた電子製品は、ショックや振動に弱いだけではなく、鞄の適切な置き場所もない。
【０００３】
そのため、本考案の考案者は上記の不具合に鑑みて、積極的に研究するとともに、学術の利用に合わせて、ようやく合理的な設計且つ上記の不具合を有効に解決する本考案を見出した。
【考案の開示】
【考案が解決しようとする課題】
【０００４】
本考案の目的は、前記の不足の既存技術点を克服して電子製品の動作状態で必要となる各インターフェイス及びゲーム機、光磁気ディスク、光ディスク、データラインや電源線をケース型鞄本体内に設け、ＵＳＢＨＵＢインターフェイスにより各種のデータインターフェイスを拡大することにあり、これにより、ケース型鞄から電子製品を離す必要がなくなり、正常にケース型鞄で動作可能になる。
【課題を解決するための手段】
【０００５】
前記の目的を達成するための本考案は、ケース型鞄本体及びケース型鞄本体に接続される持ち上げ装置を含み、ケース型鞄本体は電子製品を収納するための空間を有し、ケース型鞄本体の任意の適切な箇所にインターフェイス接続端子を設置することを提供するケース型鞄である。
【０００６】
本考案は、既存の技術に比べると、
１．電子製品及び必要な周辺設備は、ケース型鞄内に一体に設置され、動作時にケース型鞄から離す必要がないので、使用効果を有効に最大限発揮できる、
２．配置は結構合理的であるので、仕事の効率が向上する、
という利点がある。
【０００７】
本考案の特徴とその技術内容をさらに具体的に理解できるために、以下に本考案に係わる詳細的な説明及び添付図面を参照し、しかし、添付図面は単に参考と説明を提供するだけ、本考案に限定することを使用されるものではない。
【考案を実施するための最良の形態】
【０００８】
次に本考案を添付図面により更に詳細に説明する。
【０００９】
図１ないし図４は、本実施例におけるゲーム機器を収納するケース型鞄を示す。このケース型鞄は、ケース型鞄本体１及び肩ベルト２を含む。ケース型鞄本体１は、前面１１、後面１２、左面１３、右面１４、底面１５及び頂面１６の各面により鉛直的に組み立てられて作製され、その内部はゲーム機器（又は例えばパソコン等）を収納出来る空間１７である。肩ベルト２はケース型鞄本体１の左右両側に懸けるように接続される。ケース型鞄本体１には更にグリップ９が接続される。これら肩ベルト２及びグリップ９で持ち上げ装置を構成することにより、携帯出来るようになる。
【００１０】
ケース型鞄本体１の後面１２の内側には、少なくとも一つのバンド３が設けられる。図示例では、バンド３は、二つ互いに平行に設置され、かつ幅が丁度ゲーム機器に合うように係止する係止ロップ（ロープ）３１より構成され、ゲーム機器などの電子製品をケース型鞄本体１内に安定に固定する。ケース型鞄本体１の前面１１と左右両面１３、１４との間はファスナ４により接続され、ケース型鞄本体１の前面１１を選択的に蓋開き又は蓋閉じすることができる。
【００１１】
ケース型鞄本体１の頂面１６は、前面１１から延び出し一体に折られて垂直な係合カバー１６１になる。ケース型鞄本体１の前面１１と頂面１６との結合部位の両側と左面１３及び右面１４の縁部の対応部位との間には、夫々引きバンド５が設けられ、ケース型鞄本体１の前面１１を開いた時に良好な支持を与えるようになっている。
【００１２】
ケース型鞄本体１の底面１５に、電源インターフェイス接続端６及びデータインターフェイス接続端７を設置しており、電源コンセント、予備用重合状リード線、ゲーム機器接続線インターフェイス、ＵＳＢインターフェイス又はＵＳＢＨＵＢインターフェイスを収納できる。これらのインターフェイス接続端６及び７の設置位置、数及び形状は、限定されなく、実際の必要に応じて適当に変更可能で、ケース型鞄本体１の左面１３や右面１４或は其の外の面にも適当なインターフェイス接続端１９を設置でき、各種のインターフェイスを収納でき、或は其の外の部品を伸び出させるようなことができる。
【００１３】
また、ケース型鞄本体１の後面１２の底部周縁には、後面１２から延び出し一体に折られて垂直状になりかつ底面１５に貼合される係合カバー１５１が設けられ、この係合カバー１５１は、その縁部に、前面１１の底端に係止する係止フックを有する。係合カバー１５１は飾り効果を有し、係合カバー１５１と前面１１の底端は、対応する係止ユニット１５２、１１１（接着係止ロップ）で互いに結合される。
【００１４】
必要に応じて、さらに、ケース型鞄本体１内のゲーム機器を収納出来る空間１７には、空間１７を二つに分けて夫々別のものを収納できる第１の空間１７１と第２の空間１７２にする分離板８が設置でき（図３のように）、分離板８の外面にゲーム機器を固定するバンド３が設けられる。さらに、ケース型鞄本体１の前面１１の外側にもう一つの空間２０を設け、電池などの部品が収納でき、かつ、空間２０の一方側にインターフェイス接続端２１が設けられる。
【００１５】
ケース型鞄本体１の前面１１に物入れ用の袋１８が設けられる。袋１８は、前面１１の内側上端に位置する幾つかの開口を交互に配列され光ディスクを収納するための重合状袋体１８１と、前面１１の内側下端に位置する幾つかの開口を交互に配列され物を収納するための重合状袋体１８３とを含み、上端に位置する袋体１８１と下端に位置する袋体１８３は、分離バンド１８２により分離される。
【００１６】
本考案のケース型鞄は使用する際に、ケース型鞄本体１の左右両側のファスナ４を引き開き、さらにケース型鞄本体１の底端の電源インターフェイス接続端６で電源コンセント重合状リード線に接続し電気を導通させる。また、ゲーム用のジョイスティックはもう一つのインターフェイス接続端７の接続線を介して接入（オン）され、プレーを開始する。プレーを終了すると、ゲーム機器をケース型鞄内に収納し、ケース型鞄本体１の左右両側のファスナ４を閉じる。
【００１７】
本考案はケース型鞄本体１に開口状のインターフェイス接続端６、７、１９、２１を設け、電子製品の動作状態で必要となる各インターフェイス及びゲーム用のジョイスティック、光磁気ディスク、光ディスク、データ線や電源線をケース型鞄本体内に設置でき、ＵＳＢＨＵＢインターフェイスにより各種のデータインターフェイスを拡大し、電子製品をケース型鞄から離す必要がなく、正常に動かすことが出来る。
【００１８】
前記に説明した通りに、本考案はとても珍しい創作であり、極めて産業上の利用性、新規性及び進歩性を有し、フルに実用新案登録の要件を満たすので、法に従って出願を提起する。
【００１９】
しかし、前記に記載された本考案は、単に実施可能な好ましい例だけであり、本考案の請求項を限定するものではない。本考案の明細書及び図面説明からなる等価結の変化を運用しても、共に本考案の請求項を含むことを言明する。
【図面の簡単な説明】
【００２０】
【図１】本考案の外観図である。
【図２】本考案の単一空間構造の前蓋を開く時の構成を示す図である。
【図３】本考案の双空間構造の前蓋を開く時の構成を示す図である。
【図４】本考案の後蓋を開く時の構成を示す図である。
【符号の説明】
【００２１】
１  ケース型鞄本体
２  肩ベルト
３  バンド
４  ファスナ
５  引きバンド
６  電源インターフェイス接続端
７  データインターフェイス接続端
８  分離板
９  グリップ
１１  前面
１２  後面
１３  左面
１４  右面
１５  底面
１６  頂面
１７  空間
１８  袋
１９  インターフェイス接続端
２０  空間
２１  インターフェイス接続端
３１  係止ロップ
１５１  係合カバー
１５２、１１１  係止ユニット
１６１  係合カバー
１７１  第１の空間
１７２  第１の空間
１８１  重合状袋体
１８２  分離バンド
１８３  重合状袋体
【図１】
0003109806.tif 000003
【図２】
0003109806.tif 000004
【図３】
0003109806.tif 000005
【図４】
0003109806.tif 000006